(57)【要約】【課題】マルチキャリア方式が導入された無線通信システムにおいてアダプティブアレイ制御が用いられる場合において、アダプティブアレイ制御に関する回路規模の増大を抑制するとともに、アダプティブアレイ制御に関する処理を簡素化できるアダプティブアレイ制御装置及びアダプティブアレイ処理制御方法を提供する。【解決手段】無線基地局１００は、無線通信端末に対して割り当てられたサブキャリアを用いる無線信号に適用される重み係数である個別重み係数と、個別重み係数のシンボル期間を単位とする繰り返し適用回数とを記憶する重み係数レジスタ１１０を備える。無線基地局１００は、重み係数レジスタ１１０に記憶された個別重み係数と、繰り返し適用回数とに基づいて、アダプティブアレイ制御を実行する。【選択図】図２
2008211687.tif 000002
【特許請求の範囲】
【請求項１】
複数のサブキャリアを介して無線通信が実行される無線通信システムにおいて用いられ、アンテナ部が受信した無線信号の重み係数を演算し、演算した前記重み係数に基づいてアダプティブアレイ制御を実行するアレイ制御部を備えるアダプティブアレイ制御装置であって、
通信先に対する前記サブキャリアの割り当てに基づいて、当該割り当てられた前記サブキャリアを用いる無線信号に適用される個別重み係数と、前記個別重み係数が適用される場合における所定期間を単位とした繰り返し適用回数とを記憶する重み係数レジスタを備え、
前記アレイ制御部は、前記重み係数レジスタに記憶された前記個別重み係数と前記回数とに基づいて、前記アダプティブアレイ制御を実行するアダプティブアレイ制御装置。
【請求項２】
前記アンテナ部は、複数のアンテナによって構成され、
前記重み係数レジスタは、
前記サブキャリア毎に前記回数を記憶する回数記憶領部と、
前記アンテナ毎に前記個別重み係数を前記サブキャリアと対応付けて記憶する個別重み係数記憶領部と
を有する請求項１に記載のアダプティブアレイ制御装置。
【請求項３】
前記アンテナ部は、複数のアンテナによって構成され、
前記重み係数レジスタは、前記アンテナ毎に、前記個別重み係数と前記回数との組合せを記憶する請求項１に記載のアダプティブアレイ制御装置。
【請求項４】
前記無線通信システムでは、時分割復信方式が用いられ、
前記サブキャリア毎の前記通信先への割当状態を取得する割当状態取得部と、
前記無線信号の送受信タイミングに応じて、前記重み係数レジスタに記憶される内容を、前記割当状態取得部によって取得された前記割当状態に基づいて書き換える書換部と
をさらに備える請求項１乃至３の何れか一項に記載のアダプティブアレイ制御装置。
【請求項５】
複数のサブキャリアを介して無線通信が実行される無線通信システムにおいて用いられ、アンテナ部が受信した無線信号の重み係数を演算し、演算した前記重み係数に基づいてアダプティブアレイ制御を実行するアレイ制御部を備えるアダプティブアレイ処理制御方法であって、
通信先の無線通信装置に対して、前記サブキャリアを割り当てるステップと、
前記サブキャリアの割り当てに基づいて、当該割り当てられた前記サブキャリアを用いる無線信号に適用される個別重み係数と、前記個別重み係数が適用される場合における所定期間を単位とした繰り返し適用回数とを記憶するステップと、
記憶された前記個別重み係数と前記回数とに基づいて、前記アダプティブアレイ制御を実行するステップと
を備えるアダプティブアレイ処理制御方法。
【発明の詳細な説明】
【技術分野】
【０００１】
本発明は、複数のサブキャリアを介して無線通信が実行される無線通信システムにおいて用いられるアダプティブアレイ制御装置及びアダプティブアレイ処理制御方法に関する。
【背景技術】
【０００２】
ＩＥＥＥ８０２．１６ｅにおいて規定されるモバイルＷｉＭＡＸなどの無線通信システムでは、無線信号の送受信に用いられるアンテナの指向性を制御するアダプティブアレイ制御が用いられている（例えば、特許文献１）。具体的には、当該無線通信システムでは、複数のアンテナによって受信された無線信号の重み係数が演算され、演算された重み係数に基づいて、通信先（例えば、無線通信端末）と送受信される無線信号に対する重み付けが実行される。
【０００３】
また、モバイルＷｉＭＡＸなどの無線通信システムでは、複数のサブキャリアを用いて無線通信を実行するマルチキャリア方式が導入されている。
【０００４】
モバイルＷｉＭＡＸなど、マルチキャリア方式が導入された無線通信システムにおいてアダプティブアレイ制御が用いられる場合、サブキャリアとシンボル期間との組合せ、つまり、シンボル毎にアンテナ本数分の重み係数の演算、及び当該重み係数を用いた重み付けが実行される。
【特許文献１】特開２０００−１０６５３９号公報（第７−８頁、第２図）
【発明の開示】
【発明が解決しようとする課題】
【０００５】
しかしながら、上述した従来のアダプティブアレイ制御方法には、次のような問題があった。すなわち、シンボル毎にアンテナ本数分の重み係数の演算、及び当該重み係数を用いた重み付けが実行されるため、アダプティブアレイ制御に関する回路規模が増大するとともに、アダプティブアレイ制御に関する処理が複雑になる問題があった。
【０００６】
そこで、本発明は、このような状況に鑑みてなされたものであり、マルチキャリア方式が導入された無線通信システムにおいてアダプティブアレイ制御が用いられる場合において、アダプティブアレイ制御に関する回路規模の増大を抑制するとともに、アダプティブアレイ制御に関する処理を簡素化できるアダプティブアレイ制御装置及びアダプティブアレイ処理制御方法を提供することを目的とする。
【課題を解決するための手段】
【０００７】
上述した問題を解決するため、本発明は、次のような特徴を有している。まず、本発明の第１の特徴は、複数のサブキャリア（サブキャリアＳＣ１〜ＳＣ６）を介して無線通信が実行される無線通信システム（無線通信システム１０）において用いられ、アンテナ部（アンテナ１０１ａ〜１０１ｄ）が受信した無線信号（無線信号Ｓ）の重み係数を演算し、演算した前記重み係数に基づいてアダプティブアレイ制御を実行するアレイ制御部（乗算器１０５及びコントローラ１３０）を備えるアダプティブアレイ制御装置（乗算器１０５、重み係数レジスタ１１０、加算器１２０ａ及びコントローラ１３０）であって、通信先（無線通信端末２００ａ〜２００ｅ）に対する前記サブキャリアの割り当てに基づいて、当該割り当てられた前記サブキャリアを用いる無線信号に適用される個別重み係数（例えば、ａ１）と、前記個別重み係数が適用される場合における所定期間（シンボル期間）を単位とした繰り返し適用回数（例えば、８回）とを記憶する重み係数レジスタ（重み係数レジスタ１１０）を備え、前記アレイ制御部は、前記重み係数レジスタに記憶された前記個別重み係数と前記回数とに基づいて、前記アダプティブアレイ制御を実行することを要旨とする。
【０００８】
このようなアダプティブアレイ制御装置によれば、重み係数レジスタには、通信先に対して割り当てられたサブキャリアを用いる無線信号に適用される個別重み係数と、個別重み係数の繰り返し適用回数とが記憶される。
【０００９】
このため、シンボル毎に重み係数が記憶される場合と比較して、シンボル毎にアンテナ本数分の重み係数の演算、及び当該重み係数を用いた重み付けを実行する必要がない。
【００１０】
すなわち、このようなアダプティブアレイ制御装置によれば、重み係数レジスタに記憶されている繰り返し適用回数によって定まる期間に渡って、同様の重み付けを実行すればよいため、アダプティブアレイ制御に関する処理を簡素化できる。また、このようなアダプティブアレイ制御装置によれば、シンボル毎に重み係数が記憶される場合と比較して、重み係数レジスタの規模、つまり、アダプティブアレイ制御に関する回路規模の増大を抑制することができる。
【００１１】
本発明の第２の特徴は、本発明の第１の特徴に係り、前記アンテナ部は、複数のアンテナ（アンテナ１０１ａ〜１０１ｄ）によって構成され、前記重み係数レジスタは、前記サブキャリア毎に前記回数を記憶する回数記憶領部（繰り返し回数記憶部１１１）と、前記アンテナ毎に前記個別重み係数を前記サブキャリアと対応付けて記憶する個別重み係数記憶領部（例えば、重み係数記憶部１１２ａ）とを有することを要旨とする。
【００１２】
本発明の第３の特徴は、本発明の第１の特徴に係り、前記アンテナ部は、複数のアンテナ（アンテナ１０１ａ〜１０１ｄ）によって構成され、前記重み係数レジスタは、前記アンテナ毎に、前記個別重み係数と前記回数との組合せを記憶することを要旨とする。
【００１３】
本発明の第４の特徴は、本発明の第１乃至第３の特徴に係り、前記無線通信システムでは、時分割復信方式が用いられ、前記サブキャリア毎の前記通信先への割当状態を取得する割当状態取得部（コントローラ１３０）と、前記無線信号の送受信タイミングに応じて、前記重み係数レジスタに記憶される内容を、前記割当状態取得部によって取得された前記割当状態に基づいて書き換える書換部（コントローラ１３０）とをさらに備えることを要旨とする。
【００１４】
本発明の第５の特徴は、複数のサブキャリアを介して無線通信が実行される無線通信システムにおいて用いられ、アンテナ部が受信した無線信号の重み係数を演算し、演算した前記重み係数に基づいてアダプティブアレイ制御を実行するアレイ制御部を備えるアダプティブアレイ制御処理制御方法であって、通信先の無線通信装置に対して、前記サブキャリアを割り当てるステップと、前記サブキャリアの割り当てに基づいて、当該割り当てられた前記サブキャリアを用いる無線信号に適用される個別重み係数と、前記個別重み係数が適用される場合における所定期間を単位とした繰り返し適用回数とを記憶するステップと、記憶された前記個別重み係数と前記回数とに基づいて、前記アダプティブアレイ制御を実行するステップとを備えることを要旨とする。
【発明の効果】
【００１５】
本発明の特徴によれば、マルチキャリア方式が導入された無線通信システムにおいてアダプティブアレイ制御が用いられる場合において、アダプティブアレイ制御に関する回路規模の増大を抑制するとともに、アダプティブアレイ制御に関する処理を簡素化できるアダプティブアレイ制御装置及びアダプティブアレイ処理制御方法を提供することができる。
【発明を実施するための最良の形態】
【００１６】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００１７】
したがって、具体的な寸法などは以下の説明を参酌して判断すべきものである。また、図面相互間においても互いの寸法の関係や比率が異なる部分が含まれていることは勿論である。
【００１８】
（無線通信システムの全体概略構成）
図１は、本実施形態に係る無線通信システム１０の全体概略構成図である。図１に示すように、無線通信システム１０は、無線基地局１００と、無線通信端末２００ａ〜２００ｅによって構成される。なお、無線通信システム１０に含まれる無線基地局及び無線通信端末の数は、図１に示した数に限定されるものではない。
【００１９】
無線通信システム１０では、無線基地局１００と無線通信端末２００ａ（〜２００ｅ）との間において、複数のサブキャリアを介して無線通信が実行されるマルチキャリア方式が導入されている。具体的には、無線通信システム１０では、ＩＥＥＥ８０２．１６ｅにおいて規定されるモバイルＷｉＭＡＸに従った無線通信が実行される。すなわち、無線通信システム１０では、直交周波数分割多重方式（ＯＦＤＭ）、及び時分割復信方式（ＴＤＤ）が用いられる。
【００２０】
また、無線通信システム１０では、無線信号Ｓの送受信に用いられるアンテナ１０１ａ〜１０１ｄ（アンテナ部）の指向性を制御するアダプティブアレイ制御が用いられている。
【００２１】
（無線基地局の機能ブロック構成）
図２は、無線基地局１００の機能ブロック図である。図２に示すように、無線基地局１００は、４つの無線信号処理系を備える。具体的には、無線基地局１００は、アンテナ１０１ａ、ＲＦ部１０２ａ、Ａ／Ｄ変換部１０３ａ及びフーリエ変換部１０４ａによって構成される無線信号処理系を備える。図２に示すように、無線基地局１００は、同様な構成を有する無線信号処理系を他に３つ備える。本実施形態では、４つの無線信号処理系（またはアンテナ１０１ａ〜１０１ｄ）を、「＃１」〜「＃４」として適宜標記する。
【００２２】
以下、＃１の無線信号処理系、すなわち、アンテナ１０１ａ、ＲＦ部１０２ａ、Ａ／Ｄ変換部１０３ａ及びフーリエ変換部１０４ａの機能について説明する。また、以下、本発明との関連がある部分について主に説明する。したがって、無線基地局１００は、無線基地局１００としての機能を実現する上で必須な、図示しない或いは説明を省略したブロック（電源部など）を備える場合があることに留意されたい。
【００２３】
アンテナ１０１ａは、無線信号Ｓを送受信する。アンテナ１０１ａは、ＲＦ部１０２ａに接続される。
【００２４】
ＲＦ部１０２ａは、ＬＮＡ、パワーアンプ及びアップ・ダウンコンバータなどによって構成され、無線信号Ｓとベースバンド信号との変換などを実行する。ＲＦ部１０２ａは、Ａ／Ｄ変換部１０３ａと接続される。
【００２５】
Ａ／Ｄ変換部１０３ａは、受信信号のＡ／Ｄ変換を実行するとともに、送信信号のＤ／Ａ変換を実行する。Ａ／Ｄ変換部１０３ａは、フーリエ変換部１０４ａと接続される。
【００２６】
フーリエ変換部１０４ａは、直交周波数分割多重方式（ＯＦＤＭ）に従って、送信信号の逆フーリエ変換（ＩＦＦＴ）を実行するとともに、受信信号のフーリエ変換（ＦＦＴ）を実行する。
【００２７】
また、無線基地局１００は、乗算器１０５、同期検出部１０６、重み係数レジスタ１１０、加算器１２０ａ〜１２０ｃ及びコントローラ１３０を備える。
【００２８】
乗算器１０５は、アンテナ１０１ａ〜１０１ｄ（アンテナ部）が受信した無線信号Ｓの重み係数を求めるため、コントローラ１３０の制御に従って複素乗算などの演算を実行する。演算された重み係数は、重み係数レジスタ１１０に記憶される。また、乗算器１０５は、コントローラ１３０の制御に従い、重み係数レジスタ１１０に記憶されている重み係数を用いて、各無線信号処理系を介して送受信される無線信号Ｓに対する重み付けを実行する。
【００２９】
同期検出部１０６は、受信信号の同期が確立していることを検出する。同期検出部１０６によって受信信号の同期が確立していることが検出された場合、乗算器１０５などは、所定の処理を実行する。
【００３０】
重み係数レジスタ１１０は、乗算器１０５によって演算された重み係数を記憶する。具体的には、重み係数レジスタ１１０は、無線通信端末２００ａ〜２００ｅ（通信先）に対して割り当てられたサブキャリアＳＣ１〜ＳＣ６を用いる無線信号Ｓに適用される重み係数（個別重み係数）と、シンボル期間（所定期間）を単位とする当該重み係数の繰り返し適用回数（重み係数によって重み付けする回数）とを記憶する。
【００３１】
図５は、重み係数レジスタ１１０の内部構成図である。図５に示すように、重み係数レジスタ１１０は、繰り返し回数記憶部１１１と、重み係数記憶部１１２ａ〜１１２ｄとを有する。
【００３２】
繰り返し回数記憶部１１１は、サブキャリア毎、つまり、サブキャリアＳＣ１〜ＳＣ６毎に重み係数の繰り返し適用回数を記憶する。図中の「８」や「６」は、当該サブキャリアにおける重み係数の繰り返し適用回数（「８」や「６」）を示す。
【００３３】
重み係数記憶部１１２ａは、アンテナ毎、具体的には、アンテナ１０１ａ（無線信号処理系＃１）に適用される重み係数（個別重み係数）をサブキャリアと対応付けて記憶する。本実施形態において、重み係数記憶部１１２ａは、個別重み係数記憶領部を構成する。なお、図中の「ａ１」や「ｂ１」は、説明の便宜上付された標記である。例えば、「ａ１」の場合、「ａ」は、当該重み係数が無線通信端末２００ａ向けであること、「１」は、アンテナ１０１ａ（無線信号処理系＃１）であることを示す。なお、重み係数レジスタ１１０に記憶された重み係数と繰り返し適用回数とを用いた無線信号Ｓに対する重み付けの方法については、後述する。
【００３４】
重み係数記憶部１１２ｂは、アンテナ１０１ｂ（無線信号処理系＃２）に適用される重み係数（個別重み係数）をサブキャリアと対応付けて記憶する。
【００３５】
同様に、重み係数記憶部１１２ｃ，１１２ｄは、アンテナ１０１ｃ，１０１ｄ（無線信号処理系＃３，４）にそれぞれ対応する。
【００３６】
加算器１２０ａ〜１２０ｃは、乗算器１０５を介して出力された各無線信号処理系からデータ系列を合成する。
【００３７】
コントローラ１３０は、乗算器１０５を制御し、重み係数を演算させたり、乗算器１０５によって演算された重み係数を、重み係数レジスタ１１０に記憶させたりする。また、コントローラ１３０は、乗算器１０５を制御し、各無線信号処理系を介して送受信される無線信号Ｓに対する重み付けを乗算器１０５に実行させる。
【００３８】
本実施形態では、乗算器１０５とコントローラ１３０とによって、アンテナ１０１ａ〜１０１ｄが受信した無線信号Ｓの重み係数を演算し、演算した重み係数に基づいてアダプティブアレイ制御を実行するアレイ制御部が構成される。具体的には、乗算器１０５及びコントローラ１３０は、重み係数記憶部１１２ａに記憶された重み係数と、繰り返し回数記憶部１１１に記憶された繰り返し適用回数とに基づいて、アダプティブアレイ制御を実行する。
【００３９】
なお、本実施形態では、乗算器１０５、重み係数レジスタ１１０、加算器１２０ａ及びコントローラ１３０によって、アダプティブアレイ制御装置が構成される。
【００４０】
また、コントローラ１３０は、無線通信端末２００ａ〜２００ｅからの通信要求に応じて、無線通信端末２００ａ〜２００ｅに必要なシンボル（サブキャリアＳＣ１〜ＳＣ６とシンボル期間の組合せ）を割り当てる。
【００４１】
さらに、コントローラ１３０は、サブキャリアＳＣ１〜ＳＣ６毎の無線通信端末への割当状態を取得する。本実施形態において、コントローラ１３０は、割当状態取得部を構成する。コントローラ１３０は、無線信号Ｓの送受信タイミングに応じて、重み係数レジスタ１１０に記憶される内容を、取得した当該割当状態に基づいて書き換える。
【００４２】
（無線基地局の動作）
次に、無線基地局１００の動作について説明する。具体的には、無線基地局１００による無線信号Ｓに対する重み付けの動作について説明する。図３は、無線基地局１００による無線信号Ｓに対する重み付けの動作を示すフロー図である。
【００４３】
図３に示すように、ステップＳ１０において、無線基地局１００は、無線通信端末２００ａ〜２００ｅから通信要求を取得する。
【００４４】
ステップＳ２０において、無線基地局１００は、無線通信端末２００ａ〜２００ｅからの通信要求に応じて、無線通信端末２００ａ〜２００ｅに必要なシンボルを割り当てる。
【００４５】
ここで、図４は、無線通信端末２００ａ〜２００ｅへのシンボルの割当状態を示す。図４では、説明を容易にするため、４８シンボル（６サブキャリア×８シンボル期間）を例として説明する。また、図４では、無線通信端末２００ａが割り当てられるシンボルを単に「ａ」と標記する。同様に、無線通信端末２００ｂ〜２００ｅが割り当てられるシンボルを「ｂ」〜「ｅ」と標記する。
【００４６】
図４に示すように、サブキャリアＳＣ１には、すべてのシンボル期間（１〜８）において、無線通信端末２００ａが割り当てられる。つまり、無線通信端末２００ａには、８シンボルが割り当てられる。
【００４７】
同様に、サブキャリアＳＣ２には、すべてのシンボル期間において、無線通信端末２００ｂが割り当てられる。また、サブキャリアＳＣ３には、６つのシンボル期間（１〜６）において、無線通信端末２００ｃが割り当てられ、２つのシンボル期間（７，８）において、無線通信端末２００ｂが割り当てられる。さらに、サブキャリアＳＣ４には、６つのシンボル期間（１〜６）において、無線通信端末２００ｃが割り当てられ、２つのシンボル期間（７，８）において、無線通信端末２００ｅが割り当てられる。
【００４８】
つまり、無線通信端末２００ｂには、１０シンボルが割り当てられる。また、無線通信端末２００ｃには、１２シンボルが割り当てられる。以下、同様に、サブキャリアＳＣ５，ＳＣ６に無線通信端末２００ｄ，２００ｅが割り当てられる。
【００４９】
このような無線通信端末２００ａ〜２００ｅへのシンボルの割当結果、重み係数レジスタ１１０には、図５に示すような情報が記憶される。上述したように、図５において、繰り返し回数記憶部１１１に含まれる「８」や「６」の数字は、当該サブキャリアにおける重み係数の繰り返し適用回数を示す。また、重み係数記憶部１１２ａ，１１２ｂなどに記憶される「ａ１」や「ｂ１」の文字は、重み係数が適用される無線通信端末（ａ〜ｅ）と、無線信号処理系（１〜４）を示す。
【００５０】
図３に示すように、ステップＳ３０において、無線基地局１００は、無線通信端末２００ａ〜２００ｅから無線信号Ｓを受信する。
【００５１】
ステップＳ４０において、無線基地局１００は、アンテナ１０１ａ〜１０１ｄを介して送受信される無線信号Ｓの重み係数を演算する。
【００５２】
また、無線基地局１００は、重み係数レジスタ１１０に記憶されている内容に基づいて、各アンテナ（アンテナ１０１ａ〜１０１ｄ）を介して送受信される無線信号Ｓに対する重み付けを実行する。具体的には、無線基地局１００は、図５に示すように、繰り返し回数記憶部１１１に記憶されている重み係数の繰り返し適用回数と、重み係数記憶部１１２ａ〜１１２ｄに記憶されている重み係数とに基づいて、各アンテナ毎（アンテナ１０１ａ〜１０１ｄ）を介して送受信される無線信号Ｓに対する重み付けを実行する。
【００５３】
例えば、アンテナ１０１ａの場合、無線基地局１００は、繰り返し回数記憶部１１１に記憶されている重み係数の繰り返し適用回数と、重み係数記憶部１１２ａに記憶されている重み係数とを参照する。無線基地局１００は、当該情報を参照することによって、サブキャリアＳＣ１において、無線通信端末２００ａ向けの重み係数（ａ１）が８回繰り返されることを取得する。
【００５４】
すなわち、無線基地局１００は、シンボル期間毎に重み付けのために必要な演算を実行せず、重み係数の繰り返し適用回数によって定まる期間、具体的には、８シンボル期間に渡って同一の重み係数（ａ１）を用いた重み付けを継続する。
【００５５】
図３に示すように、ステップＳ５０において、無線基地局１００は、重み付けが実行された無線信号Ｓを、アンテナ１０１ａ〜１０１ｄを介して無線通信端末２００ａ〜２００ｅに送信する。
【００５６】
（作用・効果）
無線基地局１００によれば、重み係数レジスタ１１０には、無線通信端末２００ａ〜２００ｅに対して割り当てられたサブキャリアＳＣ１〜ＳＣ６を用いる無線信号Ｓに適用される重み係数（個別重み係数）と、当該重み係数の繰り返し適用回数とが記憶される。
【００５７】
このため、シンボル毎に重み係数が記憶される場合と比較して、シンボル毎にアンテナ本数分の重み係数の演算、及び当該重み係数を用いた重み付けを実行する必要がない。
【００５８】
すなわち、無線基地局１００によれば、重み係数レジスタ１１０に記憶されている繰り返し適用回数によって定まる期間に渡って、同様の重み付けを実行すればよいため、アダプティブアレイ制御に関する処理を簡素化できる。また、無線基地局１００によれば、シンボル毎に重み係数が記憶される場合と比較して、重み係数レジスタ１１０の規模、つまり、アダプティブアレイ制御に関する回路規模の増大を抑制することができる。
【００５９】
本実施形態では、重み係数レジスタは、繰り返し適用回数を記憶する繰り返し回数記憶部１１１と、アンテナ毎に重み係数（個別重み係数）をサブキャリアＳＣ１〜ＳＣ６と対応付けて記憶する重み係数記憶部１１２ａ〜１１２ｄとを有する。すなわち、重み係数（個別重み係数）と繰り返し適用回数との組合せをアンテナ毎に記憶する場合（後述する図６に係る記載を参照）と比較して、繰り返し適用回数の情報は、すべてのアンテナで共用される。このため、繰り返し適用回数を記憶するために必要な記憶容量が抑制され、アダプティブアレイ制御に関する回路規模の増大をさらに抑制することができる。
【００６０】
本実施形態では、無線信号Ｓの送受信タイミングに応じて、重み係数レジスタ１１０に記憶される内容が、サブキャリアＳＣ１〜ＳＣ６毎の無線通信端末への割当状態に基づいて書き換えられる。このため、重み係数レジスタ１１０が送信系と受信系とで共用され、アダプティブアレイ制御に関する回路規模の増大をさらに抑制することができる。
【００６１】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００６２】
例えば、上述した重み係数レジスタ１１０は、以下のような構成に変更することができる。図６は、重み係数レジスタ１１０に代えて無線基地局１００に設けることができる重み係数レジスタ１１０Ｖの内部構成図である。
【００６３】
図６に示すように、重み係数レジスタ１１０Ｖは、アンテナ＃１用記憶部１１３ａ〜アンテナ＃４用記憶部１１３ｄを有する。
【００６４】
アンテナ＃１用記憶部１１３ａは、アンテナ１０１ａ用の重み係数（個別重み係数）と繰り返し適用回数との組合せを記憶する。同様に、アンテナ＃２用記憶部１１３ｂ、アンテナ＃２用記憶部１１３ｃ、及びアンテナ＃４用記憶部１１３ｄは、アンテナ１０１ｂ〜１０１ｄにそれぞれ対応する。なお、図６においても、図中の「ａ１」や「ｂ１」は、図５と同様に説明の便宜上付された標記である。「ａ」は、当該重み係数が無線通信端末２００ａ向けであること、「１」は、アンテナ１０１ａ（無線信号処理系＃１）であることを示す。また、図中の「８」や「６」は、当該サブキャリアにおける重み係数の繰り返し適用回数（「８」や「６」）を示す。
【００６５】
上述した実施形態では、無線信号Ｓの送受信タイミングに応じて重み係数レジスタ１１０に記憶される内容が書き換えることによって重み係数レジスタ１１０が送信系と受信系とで共用されていたが、重み係数レジスタ１１０は、必ずしも共用しなくても構わない。すなわち、送信系と受信系とで別個の重み係数レジスタを用いる構成としてもよい。
【００６６】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００６７】
【図１】本発明の実施形態に係る無線通信システムの全体概略構成図である。
【図２】本発明の実施形態に係るアダプティブアレイ制御装置を含む無線基地局の機能ブロック図である。
【図３】本発明の実施形態に係る無線基地局による重み付けの動作を示すフロー図である。
【図４】本発明の実施形態に係る無線通信端末へのシンボルの割当状態を示す図である。
【図５】本発明の実施形態に係る重み係数レジスタの内部構成図である。
【図６】本発明の変更例に係る重み係数レジスタの内部構成図である。
【符号の説明】
【００６８】
１０…無線通信システム、１００…無線基地局、１０１ａ〜１０１ｄ…アンテナ、１０２ａ〜１０１ｄ…ＲＦ部、１０３ａ〜１０３ｄ…Ａ／Ｄ変換部、１０４ａ〜１０４ｄ…フーリエ変換部、１０５…乗算器、１０６…同期検出部、１１０，１１０Ｖ…重み係数レジスタ、１１１…繰り返し回数記憶部、１１２ａ〜１１２ｄ…重み係数記憶部、１１３ａ…アンテナ＃１用記憶部、１１３ｂ…アンテナ＃２用記憶部、１１３ｃ…アンテナ＃３用記憶部、１１３ｄ…アンテナ＃４用記憶部、１２０ａ〜１２０ｃ…加算器、１３０…コントローラ、２００ａ〜２００ｅ…無線通信端末、Ｓ…無線信号、ＳＣ１〜ＳＣ６…サブキャリア
【図１】
2008211687.tif 000003
【図２】
2008211687.tif 000004
【図３】
2008211687.tif 000005
【図４】
2008211687.tif 000006
【図５】
2008211687.tif 000007
【図６】
2008211687.tif 000008